(57)【要約】【課題】無線アクセスポイントとしての機能を備える装置において、省電力モードからの復帰を抑制できるようにする。【解決手段】ＳＳＩＤが設定され、無線アクセスポイントとしての無線通信を行う無線部１１２と、無線部１１２を介して取得された処理要求に応じて、情報の処理を行う情報処理部１１９と、情報処理装置１１０の動作モードを切り替える制御部１２０と、を備え、制御部１２０は、動作モードを、情報処理部１１９が情報の処理を行う通常モードよりも消費電力の低い省電力モードに切り替える際に、無線部１１２に、省電力用ＳＳＩＤを設定し、無線部１１２が、省電力用ＳＳＩＤへの探索を検出した場合に、動作モードを、省電力モードから切り替える。【選択図】図２
2020123798.tif 000002
【特許請求の範囲】
【請求項１】
第１の識別名で識別される無線アクセスポイントとしての機能を備える情報処理装置であって、
前記第１の識別名が設定され、前記無線アクセスポイントとしての無線通信を行う無線部と、
前記無線部を介して取得された処理要求に応じて、情報の処理を行う情報処理部と、
前記情報処理装置の動作モードを切り替える制御部と、を備え、
前記制御部は、前記動作モードを、前記情報処理部が前記情報の処理を行う通常モードよりも消費電力の低い省電力モードに切り替える際に、前記無線部に、前記第１の識別名の代わりに、前記第１の識別名とは異なる第２の識別名を設定し、前記無線部が、前記第２の識別名への探索を検出した場合に、前記動作モードを、前記省電力モードから切り替えること
を特徴とする情報処理装置。
【請求項２】
前記無線部は、前記省電力モードでは、前記第１の識別名を用いた無線通信を制限すること
を特徴とする請求項１に記載の情報処理装置。
【請求項３】
前記無線部は、前記省電力モードでは、ビーコンを送信しないこと
を特徴とする請求項１又は２に記載の情報処理装置。
【請求項４】
前記制御部は、前記通常モードにおいて、予め定められた期間、前記無線部を介して、予め定められた処理を要求する処理要求を受け取らない場合に、前記動作モードを、前記通常モードから前記省電力モードに切り替えること
を特徴とする請求項１から３の何れか一項に記載の情報処理装置。
【請求項５】
前記予め定められた処理は、ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）参照モデルにおけるアプリケーション層における処理であること
を特徴とする請求項４に記載の情報処理装置。
【請求項６】
前記予め定められた処理は、画像に関する処理であること
を特徴とする請求項４に記載の情報処理装置。
【請求項７】
前記予め定められた処理は、前記情報処理部が行う処理であること
を特徴とする請求項４に記載の情報処理装置。
【請求項８】
前記予め定められた処理は、前記無線部では行われず、前記制御部又は前記情報処理部で行われる処理であること
を特徴とする請求項４に記載の情報処理装置。
【請求項９】
前記第２の識別名は、前記第１の識別名から、予め定められたルールに従って生成されること
を特徴とする請求項１から８の何れか一項に記載の情報処理装置。
【請求項１０】
前記情報処理部は、画像を処理する画像処理部であること
を特徴とする請求項１から９の何れか一項に記載の情報処理装置。
【請求項１１】
前記情報処理部は、媒体に画像を形成する画像形成部であること
を特徴とする請求項１から９の何れか一項に記載の情報処理装置。
【請求項１２】
第１の識別名で識別される無線アクセスポイントとしての機能を備える情報処理装置に情報の処理を要求する無線端末であって、
前記第１の識別名を用いて、前記情報処理装置に接続することで、前記情報処理装置と無線通信を行う通信部と、
前記通信部が、前記第１の識別名を用いて前記情報処理装置に接続できなくなった場合に、前記通信部を介して、前記第１の識別名とは異なる第２の識別名への探索を行った後、再度、前記第１の識別名への探索を行う制御部と、を備えること
を特徴とする無線端末。
【請求項１３】
コンピュータを、第１の識別名で識別される無線アクセスポイントとしての機能を備える情報処理装置に情報の処理を要求する無線端末として機能させるプログラムであって、
前記コンピュータを、
前記第１の識別名を用いて、前記情報処理装置に接続することで、前記情報処理装置と無線通信を行う通信部、及び、
前記通信部が、前記第１の識別名を用いて前記情報処理装置に接続できなくなった場合に、前記通信部を介して、前記第１の識別名とは異なる第２の識別名への探索を行った後、再度、前記第１の識別名への探索を行う制御部、として機能させること
を特徴とするプログラム。
【発明の詳細な説明】
【技術分野】
【０００１】
本発明は、情報処理装置、無線端末及びプログラムに関する。
【背景技術】
【０００２】
無線通信を行う場合、従来から、基地局として無線アクセスポイントが使用されている。無線アクセスポイントは、クライアントからの接続を待機しているため、通常、常時動作していることが一般的である。このため、無線アクセスポイントは、常時通電しており、消費電力が大きくなる。
【０００３】
この点に関して、特許文献１には、省電力モードを備える無線アクセスポイントが開示されている。特許文献１に開示されている無線アクセスポイントは、その無線アクセスポイントに関連するアクティブな接続が無い場合に、省電力モードに入る。省電力モードでは、その無線アクセスポイントは、ビーコンの送信を停止する。その無線アクセスポイントは、トリガ信号を受信すると、省電力モードから通常モードに復帰する。
【先行技術文献】
【特許文献】
【０００４】
【特許文献１】特表２０１５−５０５１９２号公報
【発明の概要】
【発明が解決しようとする課題】
【０００５】
従来の技術では、無線アクセスポイントは、省電力モードになっても、クライアントから、トリガ信号となるプローブ要求を受信すると、通常モードに復帰する。クライアントは、設定された周期でプローブ要求を送信するため、無線アクセスポイントは、省電力モードになっても、周期的に通常モードに復帰してしまう。特に、複数のクライアントが無線アクセスポイントに接続するような場合には、無線アクセスポイントが省電力モードに入ることすら困難となる。
【０００６】
そこで、本発明の一又は複数の態様は、無線アクセスポイントとしての機能を備える装置において、省電力モードからの復帰を抑制できるようにすることを目的とする。
【課題を解決するための手段】
【０００７】
本発明の一態様に係る情報処理装置は、第１の識別名で識別される無線アクセスポイントとしての機能を備える情報処理装置であって、前記第１の識別名が設定され、前記無線アクセスポイントとしての無線通信を行う無線部と、前記無線部を介して取得された処理要求に応じて、情報の処理を行う情報処理部と、前記情報処理装置の動作モードを切り替える制御部と、を備え、前記制御部は、前記動作モードを、前記情報処理部が前記情報の処理を行う通常モードよりも消費電力の低い省電力モードに切り替える際に、前記無線部に、前記第１の識別名の代わりに、前記第１の識別名とは異なる第２の識別名を設定し、前記無線部が、前記第２の識別名への探索を検出した場合に、前記動作モードを、前記省電力モードから切り替えることを特徴とする。
【０００８】
本発明の一態様に係る無線端末は、第１の識別名で識別される無線アクセスポイントとしての機能を備える情報処理装置に情報の処理を要求する無線端末であって、前記第１の識別名を用いて、前記情報処理装置に接続することで、前記情報処理装置と無線通信を行う通信部と、前記通信部が、前記第１の識別名を用いて前記情報処理装置に接続できなくなった場合に、前記通信部を介して、前記第１の識別名とは異なる第２の識別名への探索を行った後、再度、前記第１の識別名への探索を行う制御部と、を備えることを特徴とする。
【０００９】
本発明の一態様に係るプログラムは、コンピュータを、第１の識別名で識別される無線アクセスポイントとしての機能を備える情報処理装置に情報の処理を要求する無線端末として機能させるプログラムであって、前記コンピュータを、前記第１の識別名を用いて、前記情報処理装置に接続することで、前記情報処理装置と無線通信を行う通信部、及び、前記通信部が、前記第１の識別名を用いて前記情報処理装置に接続できなくなった場合に、前記通信部を介して、前記第１の識別名とは異なる第２の識別名への探索を行った後、再度、前記第１の識別名への探索を行う制御部、として機能させることを特徴とする。
【発明の効果】
【００１０】
本発明の一又は複数の態様によれば、無線アクセスポイントとしての機能を備える装置において、省電力モードからの復帰を抑制することができる。
【図面の簡単な説明】
【００１１】
【図１】実施の形態に係る情報処理システムの構成を概略的に示すブロック図である。
【図２】実施の形態における情報処理装置の構成を概略的に示すブロック図である。
【図３】（Ａ）及び（Ｂ）は、ハードウェア構成例を示すブロック図である。
【図４】実施の形態における無線端末の構成を概略的に示すブロック図である。
【図５】登録情報の一例を示す概略図である。
【図６】（Ａ）〜（Ｆ）は、操作部に表示させる画面画像の遷移を示す概略図である。
【図７】情報処理装置と無線端末とが行う動作を示すシーケンス図である。
【図８】情報処理装置での動作を示すフローチャートである。
【図９】無線端末での動作を示すフローチャートである。
【発明を実施するための形態】
【００１２】
図１は、実施の形態に係る情報処理システム１００の構成を概略的に示すブロック図である。
情報処理システム１００は、情報処理装置１１０と、無線端末１３０Ａ、１３０Ｂ、１３０Ｃとを備える。
情報処理システム１００では、情報処理装置１１０が無線アクセスポイントとしての機能を備え、無線端末１３０Ａ、１３０Ｂ、１３０Ｃがクライアントとして、情報処理装置１１０に無線で接続する。そして、無線端末１３０は、情報処理装置１１０に情報の処理を要求する。
【００１３】
ここで、無線端末１３０Ａ、１３０Ｂ、１３０Ｃの各々は、クライアントとして情報処理装置１１０に無線で接続する機能に関しては、同様に構成されているため、無線端末１３０Ａ、１３０Ｂ、１３０Ｃの各々を特に区別する必要がない場合には、無線端末１３０という。なお、無線端末１３０Ａ、１３０Ｂ、１３０Ｃの各々は、クライアントとして情報処理装置１１０に無線で接続する機能を除いて、異なる構成を備えていてもよい。無線端末１３０Ａ、１３０Ｂ、１３０Ｃには、例えば、パーソナルコンピュータ及びタブレットが含まれていてもよい。
【００１４】
図２は、情報処理装置１１０の構成を概略的に示すブロック図である。
情報処理装置１１０は、記憶部１１１と、無線部１１２と、操作部１１６と、情報処理部１１９と、制御部１２０とを備える。
情報処理装置１１０は、動作モードとして、少なくとも通常モード及び省電力モードを備える。
【００１５】
記憶部１１１は、情報処理装置１１０での処理に必要な情報及びプログラム等を記憶する。例えば、記憶部１１１は、情報処理装置１１０の設定情報を記憶する。
【００１６】
無線部１１２は、予め定められたＳＳＩＤ（Ｓｅｒｖｉｃｅ  Ｓｅｔ  ＩＤｅｎｔｉｆｉｅｒ）が設定され、そのＳＳＩＤで識別される無線アクセスポイントとしての無線通信を行う。ここで、無線部１１２が、情報処理装置１１０が通常モードである場合に無線通信を行うＳＳＩＤを通常のＳＳＩＤ（第１のＳＳＩＤ）ともいう。ＳＳＩＤは、アクセスポイントを識別するための識別名である。
無線部１１２は、無線通信部１１３と、無線記憶部１１４と、無線制御部１１５とを備える。
【００１７】
無線通信部１１３は、Ｗｉ-Ｆｉ通信で用いられる２．４ＧＨｚ又は５ＧＨｚの周波数と同期するアンテナと、無線制御部１１５からの電気信号に基づく電力をアンテナに供給し、電波を発信させる、トランジスタ又はＦＥＴを持つ送信部と、アンテナで受信した電波を電気信号に復調する受信部とを持つ、無線通信を行う無線通信インターフェースである。
無線記憶部１１４は、無線部１１２での処理に必要な情報を記憶する。
例えば、無線記憶部１１４は、ＳＳＩＤを記憶する。具体的には、情報処理装置１１０が省電力モードである場合には、無線記憶部１１４は、通常のＳＳＩＤを記憶している。一方、情報処理装置１１０が省電力モードである場合には、無線記憶部１１４は、通常のＳＳＩＤとは異なる省電力用ＳＳＩＤを記憶する。省電力用ＳＳＩＤは、情報処理装置１１０が省電力モードから復帰する条件である復帰要因に用いられるＳＳＩＤである。ここで、省電力用ＳＳＩＤを第２のＳＳＩＤともいう。本実施の形態では、省電力用ＳＳＩＤは、情報処理装置１１０を省電力モードから復帰させるための探索にのみ使用される。
【００１８】
無線制御部１１５は、無線部１１２での処理を制御する。
例えば、無線制御部１１５は、無線部１１２が無線アクセスポイントとして機能するために必要な処理を制御する。具体的には、情報処理装置１１０が通常モードとなっている場合には、無線制御部１１５は、無線記憶部１１４に記憶されているＳＳＩＤ（通常のＳＳＩＤ）を用いて、無線通信部１１３を介して無線通信を行う。
【００１９】
また、無線制御部１１５は、情報処理装置１１０が省電力モードとなっている場合には、無線端末１３０からの通信が復帰要因を満たすか否かを判断する。本実施の形態では、復帰要因は、無線端末１３０が省電力用ＳＳＩＤへの探索を行うことである。ここでの探索は、例えば、無線端末１３０が情報処理装置１１０にプローブ要求を行うことで実行される。言い換えると、無線端末１３０が情報処理装置１１０に省電力用ＳＳＩＤの確認を行うことで、復帰要因が満たされる。
そして、無線制御部１１５は、省電力モードにおいて、復帰要因が満たされた場合には、制御部１２０に通知を行う。ここでの通知は、例えば、復帰要因が満たされたことを示すものである。
【００２０】
操作部１１６は、画面画像を表示して、操作の入力を受け付ける。
操作部１１６は、表示部１１７と、入力部１１８とを備える。
表示部１１７は、画面画像を表示する。
入力部１１８は、操作の入力を受け付ける。
【００２１】
情報処理部１１９は、情報処理装置１１０における情報の処理を行う。例えば、情報処理部１１９は、無線部１１２を介して取得された処理要求に応じて、情報の処理を行う。
本実施の形態では、情報処理部１１９は、画像を処理する画像処理部として機能する。このような場合、情報処理装置１１０は、画像処理装置として機能する。
なお、情報処理部１１９は、媒体に画像を形成する画像形成部として機能してもよい。このような場合、情報処理装置１１０は、画像形成装置として機能する。
【００２２】
制御部１２０は、情報処理装置１１０での処理を制御する。例えば、制御部１２０は、情報処理装置１１０の動作モードを切り替える。
具体的には、制御部１２０は、動作モードを省電力モードに切り替える際に、無線部１１２に、通常のＳＳＩＤの代わりに省電力用ＳＳＩＤを設定し、無線部１１２が、省電力用ＳＳＩＤへの探索を検出した場合に、動作モードを省電力モードから切り替える。
【００２３】
省電力モードは、通常モードよりも消費電力の低い動作モードである。例えば、省電力モードでは、制御部１２０は、記憶部１１１及び情報処理部１１９の機能を停止して、記憶部１１１及び情報処理部１１９への電力の供給を停止する。なお、制御部１２０は、省電力モードにおいて、操作部１１６の機能を停止して、操作部１１６への電力の供給を停止してもよい。また、制御部１２０は、省電力モードにおいて、操作部１１６の一部の機能を停止又は低下させて、操作部１１６が消費する電力を低下させてもよい。例えば、表示部１１７で表示を行う明るさを低下させることで、表示部１１７が消費する電力を低下させてもよい。
【００２４】
なお、省電力モードでも、無線部１１２は、機能しているが、通常のＳＳＩＤを用いた無線通信を制限している。このため、無線部１１２は、通常のＳＳＩＤへの探索を検出しても、その応答を行わない。また、無線部１１２は、省電力モードでは、ビーコンの送信も行っていない。
【００２５】
通常モードは、情報処理部１１９が、情報の処理を行う動作モードである。
通常モードでは、制御部１２０は、記憶部１１１及び情報処理部１１９を機能させて、情報処理装置１１０での処理を行わせる。なお、省電力モードにおいて操作部１１６の機能が停止又は低下されている場合には、通常モードで、操作部１１６の全ての機能が、通常通りに使用できるようになるものとする。
【００２６】
ここで、制御部１２０は、サブ制御部１２１と、メイン制御部１２２とを備える。
省電力モードでは、サブ制御部１２１のみが機能し、メイン制御部１２２が機能を停止しているため、制御部１２０自身においても、消費する電力を低下させている。
なお、通常モードでは、サブ制御部１２１及びメイン制御部１２２が機能しているものとする。
【００２７】
サブ制御部１２１は、省電力モードにおいて、情報処理装置１１０での処理を制御する。例えば、サブ制御部１２１は、省電力モードにおいて、無線制御部１１５から通知を受けた場合に、メイン制御部１２２を起動させる起動処理部として機能する。
【００２８】
メイン制御部１２２は、サブ制御部１２１からの指示に従って起動する。メイン制御部１２２は、起動中又は起動後に、記憶部１１１及び情報処理部１１９についても起動させる。また、メイン制御部１２２は、省電力モードにおいて操作部１１６の機能が停止又は低下されている場合には、起動中又は起動後に、操作部１１６の全ての機能を通常通りに使用できるようにする。
【００２９】
メイン制御部１２２は、通常モードにおいて、情報処理装置１１０での処理を制御する。例えば、メイン制御部１２２は、無線部１１２を介して、無線端末１３０から処理要求を取得して、取得された処理要求に応じて、情報処理部１１９に処理を行わせる。具体的には、無線部１１２を介して、画像を示す画像情報を含む画像形成要求（印刷要求）を処理要求として受けた場合には、情報処理部１１９に、その画像情報に従って、媒体に画像を形成させる。また、無線部１１２を介して、無線端末１３０から画像情報の取得要求を処理要求として受けた場合には、メイン制御部１２２は、情報処理部１１９で原稿をスキャンすることで生成された画像を示す画像情報を、無線部１１２を介して、要求元に送る。
【００３０】
また、メイン制御部１２２は、予め定められた期間、無線部１１２を介して、予め定められた処理を要求する処理要求を受け取らなかった場合には、無線部１１２に復帰要因を設定して、情報処理装置１１０の動作モードを省電力モードに切り替える。
【００３１】
例えば、予め定められた処理は、ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）参照モデルにおけるアプリケーション層における処理でもよく、画像に関する処理でもよく、又は、情報処理部１１９が行う処理でもよい。また、予め定められた処理は、無線部１１２では行われず、制御部１２０又は情報処理部１１９で行われる処理であってもよい。
【００３２】
また、メイン制御部１２２は、無線記憶部１１４に省電力用ＳＳＩＤを記憶させることにより、無線部１１２に復帰要因を設定する。
本実施の形態においては、省電力用ＳＳＩＤは、通常のＳＳＩＤから、予め定められたルールに従って生成されるものとする。例えば、省電力用ＳＳＩＤは、通常のＳＳＩＤの末尾に、特定の文字列、例えば、「ｐｏｗｅｒ−ｓａｖｅ」といった文字列を付加することにより生成される。
【００３３】
以上に記載された無線制御部１１５及び制御部１２０の一部又は全部は、例えば、図３（Ａ）に示されているように、メモリ１０と、メモリ１０に格納されているプログラムを実行するＣＰＵ（Ｃｅｎｔｒａｌ  Ｐｒｏｃｅｓｓｉｎｇ  Ｕｎｉｔ）等のプロセッサ１１とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。言い換えると、情報処理装置１１０は、コンピュータにより実現することも可能である。
【００３４】
また、無線制御部１１５及び制御部１２０の一部又は全部は、例えば、図３（Ｂ）に示されているように、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）又はＦＰＧＡ（Ｆｉｅｌｄ  Ｐｒｏｇｒａｍｍａｂｌｅ  Ｇａｔｅ  Ａｒｒａｙ）等の処理回路１２で構成することもできる。
【００３５】
記憶部１１１及び無線記憶部１１４は、不揮発性メモリにより構成することができる。
操作部１１６は、例えば、タッチパネルにより構成することができる。
なお、情報処理部１１９の一部又は全部が、制御部１２０に含まれていてもよい。
【００３６】
図４は、無線端末１３０の構成を概略的に示すブロック図である。
無線端末１３０は、記憶部１３１と、通信部１３２と、操作部１３３と、制御部１３６とを備える。
【００３７】
記憶部１３１は、無線端末１３０での処理に必要な情報を記憶する。
例えば、記憶部１３１には、無線端末１３０から処理を要求することのできる情報処理装置１１０に接続するために必要とされる接続情報を登録した登録情報が記憶される。
接続情報は、情報処理装置１１０を識別するための装置識別情報である装置名と、情報処理装置１１０にアクセスするためのアドレスと、情報処理装置１１０の通常のＳＳＩＤと、情報処理装置１１０に接続するために必要な認証情報とを含む。認証情報は、例えば、情報処理装置１１０で使用されているセキュリティ（暗号化方式）を識別するためのセキュリティ識別情報であるセキュリティ名と、情報処理装置１１０で使用されているセキュリティにおけるパスワード（暗号化キー）とである。
【００３８】
例えば、情報処理装置１１０が、画像処理装置又は画像形成装置としてのプリンタである場合には、後述するアプリケーション部１３７が情報処理装置１１０に接続して、印刷を実行させることで、記憶部１３１には、例えば、図５に示されているような、登録テーブル１４０が登録情報として記憶される。
【００３９】
登録テーブル１４０は、装置名列１４１と、ＩＰアドレス列１４２と、セキュリティ列１４４と、パスワード１４５列とを備え、一つの行に、一つの情報処理装置１１０に接続するための接続情報が格納される。
装置名列１４１は、情報処理装置１１０の装置名を格納する。
ＩＰアドレス列１４２は、情報処理装置１１０のＩＰアドレスを格納する。
ＳＳＩＤ列１４３は、情報処理装置１１０のＳＳＩＤを格納する。ここに格納されるＳＳＩＤは、情報処理装置１１０の通常のＳＳＩＤである。
【００４０】
セキュリティ列１４４は、情報処理装置１１０で使用されているセキュリティのセキュリティ名を格納する。
パスワード列１４５は、情報処理装置１１０で使用されているセキュリティのパスワードを格納する。
【００４１】
図４に戻り、通信部１３２は、無線を用いて通信を行う無線通信インターフェースである。本実施の形態では、通信部１３２は、通常のＳＳＩＤを用いて情報処理装置１１０と無線通信を行う。
操作部１３３は、画面画像を表示して、操作の入力を受け付ける。
操作部１３３は、表示部１３４と、入力部１３５とを備える。
表示部１３４は、画面画像を表示する。
入力部１３５は、操作の入力を受け付ける。
【００４２】
制御部１３６は、無線端末１３０での処理を制御する。例えば、制御部１３６は、アプリケーション部１３７を備える。
アプリケーション部１３７は、操作部１３３を介して入力される、ユーザからの操作に応じて、情報処理装置１１０に処理要求を行う。
ここで、アプリケーション部１３７は、通信部１３２が、通常のＳＳＩＤを用いて情報処理装置１１０に接続できなくなった場合に、通信部１３２を介して、省電力用ＳＳＩＤへの探索を行った後、再度、通常のＳＳＩＤへの探索を行う。
【００４３】
以上に記載された制御部１３６の一部又は全部は、例えば、図３（Ａ）に示されているように、メモリ１０と、プロセッサ１１とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。言い換えると、無線端末１３０は、コンピュータにより実現することも可能である。
また、制御部１３６の一部又は全部は、例えば、図３（Ｂ）に示されているように、処理回路１２で構成することもできる。
【００４４】
記憶部１３１は、不揮発性メモリにより構成することができる。
操作部１３３は、例えば、タッチパネルにより構成することができる。
【００４５】
図６（Ａ）〜（Ｆ）は、情報処理装置１１０が、画像処理装置又は画像形成装置としてのプリンタである場合に、アプリケーション部１３７が、ユーザからの指示の入力を受け付けて、情報処理装置１１０に印刷を行わせる際に、操作部１３３に表示させる画面画像の遷移を示す概略図である。
【００４６】
まず、ユーザが無線端末１３０にインストールされている予め定められたアプリケーションを選択すると、アプリケーション部１３７が起動して、アプリケーション部１３７は、図６（Ａ）に示されているファイル選択画面画像１５０を表示部１３４に表示させる。ファイル選択画面画像１５０には、情報処理装置１１０に印刷させるファイルのファイル名ＮＡ１〜ＮＡ３が表示されている。
【００４７】
ファイル選択画面画像１５０において、ファイル名ＮＡ１〜ＮＡ３の少なくとも１つが選択されると、アプリケーション部１３７は、図６（Ｂ）に示されている要求先選択画面画像１５１を表示部１３４に表示させる。要求先選択画面画像１５１には、処理（印刷）を要求する情報処理装置１１０を識別するための装置名であるプリンタ名ＰＲ１〜ＰＲ３及び新たな接続先（要求先）を検索するための検索欄ＮＷが表示されている。
【００４８】
要求先選択画面画像１５１において、プリンタ名ＰＲ１〜ＰＲ３の何れかが選択されると、アプリケーション部１３７は、図６（Ｃ）に示されている実行指示入力画面画像１５２を表示部１３４に表示させる。実行指示入力画面画像１５２には、選択されたプリンタに処理（印刷）を要求する指示を入力するための指示入力欄ＩＮが表示されている。
【００４９】
実行指示入力画面画像１５２において、指示入力欄ＩＮが押下されると、言い換えると、実行指示が入力されると、アプリケーション部１３７は、図６（Ｄ）に示されている接続中画面画像１５３を表示部１３４に表示させる。ここで、アプリケーション部１３７は、選択されたプリンタに対応する情報処理装置１１０に接続する。
【００５０】
アプリケーション部１３７は、選択されたプリンタに対応する情報処理装置１１０への接続が成功すると、図６（Ａ）に示されているファイル選択画面画像１５０で選択されたファイルを、通信部１３２を介して、接続した情報処理装置１１０に送信する。この際に、アプリケーション部１３７は、図６（Ｅ）に示されている印刷中画面画像１５４を表示部１３４に表示させる。
【００５１】
そして、アプリケーション部１３７は、選択されたプリンタに対応する情報処理装置１１０から印刷完了の通知を受けると、図６（Ｆ）に示されている印刷完了画面画像１５５を表示部１３４に表示させる。
【００５２】
図７は、情報処理装置１１０と無線端末１３０とが行う動作を示すシーケンス図である。
図７に示されているシーケンスは、情報処理装置１１０がプリンタであるものとして説明する。
まず、情報処理装置１１０のメイン制御部１２２が、予め定められた期間、あらかじめ定められた処理の処理要求を、無線端末１３０から受け取っていないことを検出する（Ｓ１０）。
【００５３】
メイン制御部１２２は、情報処理装置１１０を省電力モードに切り替えるため、無線部１１２が無線アクセスポイントとして機能する際に使用しているＳＳＩＤから、予め定められたルールに従って、省電力用ＳＳＩＤを生成する（Ｓ１１）。
【００５４】
メイン制御部１２２は、無線記憶部１１４に、省電力用ＳＳＩＤを記憶させることで、省電力用ＳＳＩＤへの探索を復帰要因として設定する（Ｓ１２）。これにより、無線制御部１１５は、通常のＳＳＩＤの使用及びビーコンの送信を停止する。
【００５５】
そして、メイン制御部１２２は、情報処理装置１１０を省電力モードに切り替え、自身の動作も停止する（Ｓ１３）。
【００５６】
一方、無線端末１３０では、操作部１３３が、ユーザから情報処理装置１１０を選択した印刷指示の入力を受け付ける（Ｓ１４）。
この場合、アプリケーション部１３７は、図５に示されている登録テーブル１４０を参照して、情報処理装置１１０のＳＳＩＤに探索を行う（Ｓ１５）。具体的には、アプリケーション部１３７は、通信部１３２を介して、プローブ要求として探索パケットを送ることで、探索を行う。
【００５７】
しかしながら、情報処理装置１１０では、ステップＳ１２において、省電力用ＳＳＩＤが設定されているため、無線端末１３０からのプローブ要求に対して、プローブ応答を行わない。このため、無線端末１３０のアプリケーション部１３７は、情報処理装置１１０への接続に失敗したものと判断する（Ｓ１６）。
【００５８】
情報処理装置１１０の通常のＳＳＩＤを用いた接続に失敗すると、アプリケーション部１３７は、そのＳＳＩＤから、予め定められたルールに従って、省電力用ＳＳＩＤを生成して、省電力用ＳＳＩＤに探索を行う（Ｓ１７）。
そして、アプリケーション部１３７は、予め定められた期間待機する（Ｓ１８）。
【００５９】
情報処理装置１１０の無線制御部１１５は、無線通信部１１３を介して、省電力用ＳＳＩＤを用いたプローブ要求を受け取ると、省電力用ＳＳＩＤへの探索があったため、復帰要因が満たされたと判断する。復帰要因が満たされると、無線制御部１１５は、サブ制御部１２１に通知を行い、サブ制御部１２１は、メイン制御部１２２を起動させる。メイン制御部１２２は、起動すると、情報処理装置１１０を省電力モードから通常モードに移行させる（Ｓ１９）。
【００６０】
そして、メイン制御部１２２は、無線記憶部１１４に、通常のＳＳＩＤを記憶させることで、無線部１１２に通常のＳＳＩＤを設定する（Ｓ２０）。
【００６１】
無線端末１３０では、アプリケーション部１３７は、予め定められた期間待機した後に、再度、情報処理装置１１０の通常のＳＳＩＤへ探索を行う（Ｓ２１）。
この場合、情報処理装置１１０の無線部１１２には、省電力用ＳＳＩＤではなく、通常のＳＳＩＤが設定されているため、無線制御部１１５は、応答を行う（Ｓ２２）。具体的には、無線制御部１１５は、プローブ応答として応答パケットを送ることで、応答を行う。
【００６２】
これにより、無線端末１３０と、情報処理装置１１０とは、公知の手順で無線接続を行う（Ｓ２３）。
そして、無線端末１３０と、情報処理装置１１０との接続が確立すると、無線端末１３０のアプリケーション部１３７は、図５に示されている登録テーブル１４０を参照することで、情報処理装置１１０に対して、ＩＰアドレスを用いた探索を行う（Ｓ２４）。
【００６３】
アプリケーション部１３７は、情報処理装置１１０からＩＰアドレスの探索への応答を受けると（Ｓ２５）、通信部１３２を介して、画像情報を含む処理要求として印刷データを情報処理装置１１０に送る（Ｓ２６）。
【００６４】
情報処理装置１１０では、メイン制御部１２２は、無線部１１２を介して、印刷データを受け取り、その印刷データを情報処理部１１９に与えることで、情報処理部１１９に印刷を実行させる（Ｓ２７）。
印刷が完了すると、メイン制御部１２２は、無線部１１２を介して、印刷の完了を無線端末１３０に通知する（Ｓ２８）。
【００６５】
以上のように、情報処理装置１１０は、省電力モードに移行する際に、通常のＳＳＩＤから省電力用ＳＳＩＤに切り替えることで、通常のＳＳＩＤへの他の装置からの探索に応答する必要がなくなるため、探索を受けるたびに、通常モードに復帰する必要がなくなる。また、省電力用ＳＳＩＤへは、予め定められた処理を行う場合にしか、探索が行われないため、情報処理装置１１０は、省電力モードによる省電力の効果を長い間享受することができる。さらに、省電力用ＳＳＩＤは、通常モードへの復帰用に使用されるのみであるため、ビーコンを送信する必要もなく、情報処理装置１１０は、電力の消費を削減することができる。
【００６６】
図８は、情報処理装置１１０での動作を示すフローチャートである。
図８に示されているフローチャートでは、情報処理装置１１０が無線アクセスポイントとして動作している状態で、省電力モードに移行し、復帰するまでの動作について説明する。
【００６７】
まず、メイン制御部１２２は、無線端末１３０から予め定められた処理の処理要求を、予め定められた期間受けたか否かを判断する（Ｓ３０）。そのような処理要求を受けていない場合（Ｓ３０でＮｏ）には、処理はステップＳ３１に進む。
【００６８】
ステップＳ３１では、メイン制御部１２２は、省電力モードへ移行するための準備として、予め定められたルールに従って、無線アクセスポイントのＳＳＩＤから省電力用ＳＳＩＤを生成する。
そして、メイン制御部１２２は、そのような省電力用ＳＳＩＤを無線記憶部１１４に記憶させることで、情報処理装置１１０の動作モードを、無線経由で、省電力モードから通常モードへ切り替えさせるための要因（復帰要因）として、省電力用ＳＳＩＤへの探索を設定する（Ｓ３２）。
【００６９】
次に、メイン制御部１２２は、情報処理装置１１０を省電力モードに移行させる（Ｓ３３）。
省電力モードでは、無線制御部１１５は、無線通信部１１３にビーコンを送信させずに、省電力用ＳＳＩＤへの探索を待機する（Ｓ３４）。そして、省電力用ＳＳＩＤへの探索があった場合（Ｓ３４でＹｅｓ）には、処理はステップＳ３５に進む。
【００７０】
ステップＳ３５では、無線制御部１１５は、サブ制御部１２１に通知を行い、サブ制御部１２１は、メイン制御部１２２を起動させて、メイン制御部１２２が情報処理装置１１０の動作モードを省電力モードから通常モードに移行させる。
【００７１】
そして、メイン制御部１２２は、無線記憶部１１４に通常のＳＳＩＤを記憶させることで、無線部１１２に通常のＳＳＩＤを設定する（Ｓ３６）。これにより、無線制御部１１５は、無線アクセスポイントとして機能し、ビーコンの送信及び通常のＳＳＩＤへの探索に対する応答を再開する。
【００７２】
図９は、無線端末１３０での動作を示すフローチャートである。
ここでは、情報処理装置１１０がプリンタであるものとして説明を行う。
また、無線端末１３０では、操作部１３３を介して、ユーザが無線端末１３０内にインストールされているアプリケーションを起動することで、制御部１３６に、アプリケーション部１３７が設けられているものとする。
【００７３】
アプリケーション部１３７は、ユーザが操作部１３３を介して、情報処理装置１１０を選択した印刷指示を行ったか否かを判断する（Ｓ４０）。そのような印刷指示が行われた場合（Ｓ４０でＹｅｓ）には、処理はステップＳ４１に進む。
【００７４】
ステップＳ４１では、アプリケーション部１３７は、記憶部１３１に記憶されている登録情報を参照することで、選択された情報処理装置１１０のＳＳＩＤに探索を行う。
そして、アプリケーション部１３７は、ステップＳ４１の探索に対する応答があるか否かで、無線アクセスポイントがあるか否かを判断する（Ｓ４２）。無線アクセスポイントがある場合（ステップＳ４２でＹｅｓ）には、処理はステップＳ４７に進み、無線アクセスポイントがない場合（ステップＳ４２でＮｏ）には、処理はステップＳ４３に進む。
【００７５】
ステップＳ４３では、アプリケーション部１３７は、選択された情報処理装置１１０のＳＳＩＤから省電力用ＳＳＩＤを生成して、その省電力用ＳＳＩＤを用いて探索を行う。
そして、アプリケーション部１３７は、予め定められた期間待機する（Ｓ４４）。
【００７６】
待機後、アプリケーション部１３７は、再度、選択された情報処理装置１１０のＳＳＩＤに探索を行う（Ｓ４５）。
そして、アプリケーション部１３７は、ステップＳ４５の探索に対する応答があるか否かで、無線アクセスポイントがあるか否かを判断する（Ｓ４６）。無線アクセスポイントがある場合（ステップＳ４６でＹｅｓ）には、処理はステップＳ４７に進み、無線アクセスポイントがない場合（ステップＳ４６でＮｏ）には、処理はステップＳ５２に進む。
【００７７】
ステップＳ４７では、アプリケーション部１３７は、記憶部１３１に記憶されている登録情報を参照することで、選択された情報処理装置１１０のＩＰアドレスへ接続を行う。
そして、アプリケーション部１３７は、そのようなＩＰアドレスに接続できるか否かにより、選択された情報処理装置１１０があるか否かを判断する（Ｓ４８）。選択された情報処理装置１１０がある場合（Ｓ４８でＹｅｓ）には、処理はステップＳ４９に進み、選択された情報処理装置１１０がない場合（Ｓ４８でＮｏ）には、処理はステップＳ５２に進む。
【００７８】
ステップＳ４９では、アプリケーション部１３７は、ユーザから印刷の指示を受けた印刷データを、通信部１３２を介して、情報処理装置１１０に送る。
そして、アプリケーション部１３７は、情報処理装置１１０から印刷完了の通知があるか否かにより、印刷が成功したか否かを判断する（Ｓ５０）。印刷に成功した場合（Ｓ５０でＹｅｓ）には、処理はステップＳ５１に進み、印刷に失敗した場合（Ｓ５０でＮｏ）には、処理はステップＳ５２に進む。
【００７９】
ステップＳ５１では、アプリケーション部１３７は、操作部１３３に、図６（Ｆ）に示されている印刷完了画面画像１５５を表示させることで、印刷に成功したことをユーザに通知する。
一方、ステップＳ５２では、アプリケーション部１３７は、操作部１３３に、図示しない印刷失敗画面画像を表示させることで、印刷に失敗したことをユーザに通知する。
【００８０】
以上のように、実施の形態によれば、情報処理装置１１０は、省電力モードに移行する際に、無線アクセスポイントのＳＳＩＤを省電力用ＳＳＩＤに切り替えることで、不要な通常モードへの復帰を抑制することができる。
【００８１】
また、無線アクセスポイントのＳＳＩＤを省電力用ＳＳＩＤに変換するための変換ルールを、無線端末１３０でも共有していることで、ユーザが情報処理装置１１０にアクセスする必要がある場合に、情報処理装置１１０を通常モードに復帰させて、ユーザからの処理要求を実行させることができる。
【００８２】
情報処理装置１１０は、画像形成装置としてのプリンタ、画像処理装置値としてのＭＦＰ、複写機又はファクシミリ送受信機であってもよい。
【００８３】
以上に記載された実施の形態では、省電力用ＳＳＩＤは、無線アクセスポイントのＳＳＩＤ、言い換えると、通常のＳＳＩＤから予め定められているルールに従って生成されているが、本実施の形態は、以上の例に限定されない。情報処理装置１１０において、例えば、記憶部１１１に、予め定められた省電力用ＳＳＩＤが記憶されていてもよい。このような場合、無線端末１３０では、例えば、アプリケーション部１３７が、省電力用ＳＳＩＤを記憶部１３１に記憶させておいてもよく、また、ユーザが、操作部１３３を介して省電力用ＳＳＩＤを入力することで、アプリケーション部１３７に省電力用ＳＳＩＤを与えてもよい。
【００８４】
以上に記載された実施の形態では、情報処理装置１１０の動作モードは、通常モードと省電力モードであったが、通常モード及び省電力モードとは異なるモードが含まれていてもよい。
【符号の説明】
【００８５】
１００  情報処理システム、  １１０  情報処理装置、  １１１  記憶部、  １１２  無線部、  １１３  無線通信部、  １１４  無線記憶部、  １１５  無線制御部、  １１６  操作部、  １１７  表示部、  １１８  入力部、  １１９  情報処理部、  １２０  制御部、  １２１  サブ制御部、  １２２  メイン制御部、  １３０  無線端末、  １３１  記憶部、  １３２  通信部、  １３３  操作部、  １３４  表示部、  １３５  入力部、  １３６  制御部、  １３７  アプリケーション部。
【図１】
2020123798.tif 000003
【図２】
2020123798.tif 000004
【図３】
2020123798.tif 000005
【図４】
2020123798.tif 000006
【図５】
2020123798.tif 000007
【図６】
2020123798.tif 000008
【図７】
2020123798.tif 000009
【図８】
2020123798.tif 000010
【図９】
2020123798.tif 000011